(57)【要約】      （修正有）【課題】ヘルメットを上下方向に調整することができるヘルメットのシールド構造を提供する。【解決手段】ヘルメットのシールド構造は、シールド１０Ａの両側にそれぞれ枢設部１１Ａが設けられ、枢設部１１Ａがヘルメットの前面両側に枢設される。枢設部１１Ａには摺動溝１２Ａが形成され、摺動溝１２Ａの上端に枢設孔１２１Ａが形成され、摺動溝１２Ａの下端に位置決め孔１２２Ａが形成される。【選択図】図１
0003190197.tif 000002
【実用新案登録請求の範囲】
【請求項１】
シールドの両側にそれぞれ枢設部が設けられ、該枢設部がヘルメットの前面両側に枢設されるヘルメットのシールド構造であって、
該枢設部に摺動溝が形成され、該摺動溝の上端に枢設孔が形成され、該摺動溝の下端に位置決め孔が形成されることを特徴とする請求項１に記載のヘルメットのシールド構造。
【請求項２】
前記摺動溝の幅が枢設孔または位置決め孔の内径より小さいことを特徴とする請求項１に記載のヘルメットのシールド構造。
【請求項３】
前記摺動溝の両側縁部における位置決め孔近傍にそれぞれ対向するように止め凸部が凸設されることを特徴とする請求項１に記載のヘルメットのシールド構造。
【請求項４】
前記摺動溝における、上端に湾曲の弧状を呈する前記枢設孔が形成され、上端から下端へ行く次第に幅が狭くなり、下端に前記位置決め孔が形成されることを特徴とする請求項１に記載のヘルメットのシールド構造。
【請求項５】
前記シールドの枢設部における摺動溝の下部近傍に少なくとも１つの保持凸部が設けられ、
さらに、２つの位置決め蓋及び固定軸を有し、
前記２つの位置決め蓋はそれぞれ、シールドの枢設部に取り付けられ、貫通孔が形成され、内面に収容凹部が形成され、シールドの枢設部の表面に接触するように、該内面における収容凹部の周囲に少なくとも１つの係合凸縁が設けられ、また、シールドの保持凸部を収容凹部に移動させて係合凸縁に位置決めることができ、
前記２つの固定軸はそれぞれ、位置決め蓋の貫通孔及びシールドの摺動溝を通過するように取り付けられることを特徴とする請求項１乃至４の何れか１項に記載のヘルメットのシールド構造。
【請求項６】
前記保持凸部が半円球であり、
前記位置決め蓋が円形を呈し、該位置決め蓋の内面の外周縁に円環状の前記係合凸縁が凸設されることを特徴とする請求項５に記載のヘルメットのシールド構造。
【請求項７】
前記固定軸がそれぞれヘルメットの左右両側に固定されることを特徴とする請求項６または７項に記載のヘルメットのシールド構造。
【請求項８】
さらに、ハット部材を有し、該ハット部材は、ヘルメットの前面に取り付ける固着ベルト及び該固着ベルトの底縁から前方へ延出するつば部を備え、
前記固定軸がシールドの摺動溝、位置決め蓋の貫通孔、固着ベルトを通過してヘルメットに固定されることを特徴とする請求項６または７に記載のヘルメットのシールド構造。
【請求項９】
前記つば部の外側縁部に位置決め凹部が形成され、
前記シールドの内側上縁における位置決め凹部と対応する箇所に、位置決め凸部が設けられることを特徴とする請求項８に記載のヘルメットのシールド構造。
【考案の詳細な説明】
【技術分野】
【０００１】
本考案は、特に目及び顔を保護するために、シールドを上下方向に調整することができるヘルメットのシールド構造に関するものである。
【背景技術】
【０００２】
従来のバイク用ヘルメットは、頭部の衝撃を防止すると共に、頭部を保護することができる。また、ヘルメットに上下方向に回転可能なシールドが設けられているので、日差しや、雨または風が強い時に、乗車する者の目及び顔を守ることができる。
【０００３】
また、晴れや暑い時に、そのシールドを下方に回転すれば、外部の風がヘルメットに吹き込まないので、蒸し暑くなるという問題があるが、そのシールドを上方に回転すれば、外部の風がヘルメットの内部に吹き込んで涼しくなる。
【０００４】
さらに、バイクに乗る時に、乗車する者の頭部を保護するために、バイク用ヘルメットを着用することが決まっている。従来のバイク用ヘルメットは、複数の緩和構造を重ねるように構成されることから、乗車する者の頭を保護することができる。また、従来のバイク用ヘルメットは、ヘルメットの前面に取り付けたシールドによって、乗車する者の目及び顔を守ることができる。
【０００５】
従来のバイク用ヘルメットは、図１３に示すように、シールド８０を上方へ回転することができるが、そのシールド８０を上方に回転すると、シールド８０がヘルメット８１の上部から突出することから、風が強い場合にに大きい空気抵抗を受けるため、ヘルメットを脱落する虞があり、非常に危険であった。
【０００６】
上述した問題を解決するために、台湾の実用新案の第Ｍ３８２７３７号に記載されている収納可能なヘルメット用シールドを有する。そのヘルメットは、ヘルメットの両側にそれぞれ長型の摺動溝が形成されると共に、シールドの両側がそれぞれ回転軸によって摺動溝に枢設されるので、使用する時に、シールドを上方に回転すると、シールドをヘルメットの内部に収納することができるので、風が強くても大きい空気抵抗を受けることはない。
【考案の概要】
【考案が解決しようとする課題】
【０００７】
しかしながら、既存の収納可能なヘルメット用シールドは、ヘルメットの内部にシールドを保持するための位置決め部材が設置されることから、乗車する者がヘルメットをかぶる時に、頭部がその位置決め部材に当たってヘルメットにピッタリと合っていないので、かぶる心地が悪くて、頭部の保護する効果に劣り、改良する必要があった。
【０００８】
本考案の出願者は、前記問題を解決するために、改良式ヘルメットを提出したことがあり、この改良式ヘルメットは、シールドの両側にそれぞれ溝部が形成されると共に、固定軸がシールドの溝部を通過してヘルメットに固定されるものである。この構造によれば、シールドを下方に回転する時、シールドがヘルメットの前面をカバーするように移動することができ、シールドを上方に回転する時には、ヘルメットの上部と接近するように移動することができる。この時、シールドがヘルメットの上部から突出することはないが、このシールドを上方に保持する構造が設けられていないので、シールドを安定に保持することができなく、下方へ落下する虞があった。
【課題を解決するための手段】
【０００９】
本考案に係るヘルメットのシールド構造は、シールドの両側にそれぞれ枢設部が設けられ、該枢設部がヘルメットの前面両側に枢設されるものであって、該枢設部に摺動溝が形成され、該摺動溝の上端に枢設孔が形成され、該摺動溝の下端に位置決め孔が形成される。
【００１０】
かかるヘルメットのシールド構造において、前記摺動溝の幅が枢設孔または位置決め孔の内径より小さいことが好ましい。
【００１１】
かかるヘルメットのシールド構造において、記摺動溝の両側縁部における位置決め孔近傍にそれぞれ対向するように止め凸部が凸設されることが好ましい。
【００１２】
かかるヘルメットのシールド構造において、前記摺動溝における、上端に湾曲の弧状を呈する前記枢設孔が形成され、上端から下端へ行く次第に幅が狭くなり、下端に前記位置決め孔が形成されることが好ましい。
【００１３】
かかるヘルメットのシールド構造において、前記シールドの枢設部における摺動溝の下部近傍に少なくとも１つの保持凸部が設けられ、
さらに、２つの位置決め蓋及び固定軸を有し、
前記２つの位置決め蓋はそれぞれ、シールドの枢設部に取り付けられ、貫通孔が形成され、内面に収容凹部が形成され、シールドの枢設部の表面に接触するように、該内面における収容凹部の周囲に少なくとも１つの係合凸縁が設けられ、また、シールドの保持凸部を収容凹部に移動させて係合凸縁に位置決めることができ、
前記２つの固定軸はそれぞれ、位置決め蓋の貫通孔及びシールドの摺動溝を通過するように取り付けられることが好ましい。
【００１４】
かかるヘルメットのシールド構造において、前記保持凸部が半円球であり、
前記位置決め蓋が円形を呈し、該位置決め蓋の内面の外周縁に円環状の前記係合凸縁が凸設されることが好ましい。
【００１５】
かかるヘルメットのシールド構造において、前記固定軸がそれぞれヘルメットの左右両側に固定されることが好ましい。
【００１６】
かかるヘルメットのシールド構造において、さらに、ハット部材を有し、該ハット部材は、ヘルメットの前面に取り付ける固着ベルト及び該固着ベルトの底縁から前方へ延出するつば部を備え、
前記固定軸がシールドの摺動溝、位置決め蓋の貫通孔、固着ベルトを通過してヘルメットに固定されることが好ましい。
【００１７】
かかるヘルメットのシールド構造において、前記つば部の外側縁部に位置決め凹部が形成され、
前記シールドの内側上縁における位置決め凹部と対応する箇所に、位置決め凸部が設けられることが好ましい。
【考案の効果】
【００１８】
上述した構造によれば、本考案のシールドがヘルメットに対して上下方向に回転させることができるので、乗車する者の好みによって、或いは場合に応じて適当な位置に調整可能である。また、シールドの枢設部に摺動溝が形成されることによって、従来の位置決め部材が設けられることが不要なので、乗車する者がヘルメットをかぶる時に、頭部が位置決め部材に当たることはないと共に、ヘルメットにピッタリと合っており、頭部を保護する効果に優れる。
【００１９】
また、本考案のシールドを下方に回転する時、シールドが乗車する者の目や顔をカバーして日差しや風による影響を防ぐこともできると共に、晴れや暑い時には、シールドを上方に回転して外部の風を吹き込ませると、涼しくなることが出来る。
【００２０】
一方、シールドを上方に回転する時、ヘルメットが摺動溝に沿って固定軸を軸心として回転することから、この過程において、シールドがヘルメットの上部と接近するように移動し、ヘルメットのやや上方に保持することができる。それによれば、ヘルメットの上部から突出することはく、風が強くても大きい空気抵抗を受けることはないので、ヘルメットを脱落することを防止しながら安全性を上昇させる。
【００２１】
さらに、本考案のシールドの枢設部の下部に保持凸部が設けられることから、シールドを上方に回転する時に、その保持凸部を収容凹部に移動させて係合凸縁に位置決めることによって、ヘルメットを保持して下方へ落下することはない。
【図面の簡単な説明】
【００２２】
【図１】本考案に係るヘルメットのシールド構造における第一実施例の斜視図である。
【図２】本考案に係るヘルメットのシールド構造における第一実施例において、ヘルメットに取り付けた状態を示す側面図である。
【図３】本考案に係るヘルメットのシールド構造における第一実施例において、シールドを上方に回転する動作を示す側面図である。
【図４】本考案に係るヘルメットのシールド構造における第二実施例の斜視図である。
【図５】本考案に係るヘルメットのシールド構造における第三実施例の斜視図である。
【図６】本考案に係るヘルメットのシールド構造における第三実施例において、シールドを上方に回転した状態を示す側面図である。
【図７】本考案に係るヘルメットのシールド構造における第四実施例の分解斜視図である。
【図８】本考案に係るヘルメットのシールド構造における第四実施例において、ヘルメットに取り付けた状態を示す側面図である。
【図９】本考案に係るヘルメットのシールド構造における第四実施例において、シールドを上方に回転した状態を示す側面図である。
【図１０】本考案に係るヘルメットのシールド構造における第五実施例の斜視図である。
【図１１】本考案に係るヘルメットのシールド構造における第五実施例において、ヘルメットに取り付けた状態を示す側面図である。
【図１２】本考案に係るヘルメットのシールド構造における第五実施例において、シールドを上方に回転した状態を示す側面図である。
【図１３】従来のバイク用ヘルメットの側面図である。
【考案を実施するための形態】
【００２３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２４】
図１に示すように、本考案に係るヘルメットのシールド構造における第一実施例は、透明のプラスチックからなり、ヘルメットの弧度に合っている弧状部材であるシールド１０Ａを有し、該シールド１０Ａは、幅が広くて大面積型のシールドであってもよく、幅が狭くて小面積型のシールドであってもよい。また、該シールド１０Ａは、両側にそれぞれ枢設部１１Ａが設けられ、該枢設部１１Ａに後側の上方から前側の下方へ斜めに延出する摺動溝１２Ａが形成され、該摺動溝１２Ａの上端に枢設孔１２１Ａが形成され、下端に位置決め孔１２２Ａが形成され、該摺動溝１２Ａの中段の幅が枢設孔１２１Ａまたは位置決め孔１２２Ａの内径より小さいである。
【００２５】
図２及び図３に示すように、本考案に係るヘルメットのシールド構造における第一実施例をヘルメット５０に取り付ける時に、２つの固定軸３０がそれぞれシールド１０Ａの摺動溝１２Ａを通過してヘルメット５０の前面両側に取り付けられる。それによれば、シールド１０Ａをヘルメット５０に対して上下方向に回転することができる。また、シールド１０Ａをヘルメット５０に対して上方に回転する時、そのシールド１０Ａが固定軸３０を軸心として摺動溝１２Ａの枢設孔１２１Ａから位置決め孔１２２Ａへ移動するので、シールド１０Ａがヘルメット５０の上部から突出しないように、ヘルメット５０のやや上方に位置することができる。そのため、ヘルメット５０を使用する時に、風が強くても大きい空気抵抗を受けることはないので、ヘルメット５０の脱落する虞はない。
【００２６】
図４に示すように、本考案に係るヘルメットのシールド構造における第二実施例は、殆ど第一実施例と同一であるが、枢設部１１Ｂの摺動溝１２Ｂが異なる。この摺動溝１２Ｂは、上端に枢設孔１２１Ｂが形成され、下端に位置決め孔１２２Ｂが形成され、該摺動溝１２Ｂの両側縁部における位置決め孔１２２Ｂ近傍にそれぞれ対向するように止め凸部１２３Ｂが凸設される。この止め凸部１２３Ｂによって、シールド１０Ｂをヘルメット５０に対して上方に回転する時、さらにシールド１０Ｂを保持する効果を与える。
【００２７】
図５及び図６に示すように、本考案に係るヘルメットのシールド構造における第三実施例は、殆ど第一実施例と同一であるが、枢設部１１Ｃの摺動溝１２Ｃが異なる。この摺動溝１２Ｃは、上端に湾曲の弧状を呈する枢設孔１２１Ｃが形成され、上端から下端へ行く次第に幅が狭くなり、下端に位置決め孔１２２Ｃが形成される。この構造によって、そのシールド１０Ｃが固定軸３０を軸心として摺動溝１２Ｃの枢設孔１２１Ｃから位置決め孔１２２Ｃへ移動すると、摺動溝１２Ｃの両側縁部が固定軸を圧迫して固定することから、シールド１０Ｃをヘルメット５０に対して上方に保持することができる。
【００２８】
図７に示すように、本考案に係るヘルメットのシールド構造における第四実施例は、前記シールド１０を有すると共に、２つの位置決め蓋２０と及び２つの固定軸３０を加える。本実施例のシールド１０は、殆ど第一実施例のシールド１０Ａと同一であるが、枢設部１１における摺動溝１２の下部近傍にさらに保持凸部１３が設けられ、該保持凸部１３は、半円球である。
【００２９】
前記位置決め蓋２０は、プラスチックまたは金属からなる、周縁にやや弾力性を備える部材であり、シールド１０の枢設部１１に取り付けられ、中心位置にシールド１０の摺動溝１２と連通する貫通孔２１が形成され、枢設部１１に面する内面に収容凹部２２が形成され、該内面における収容凹部２２の周囲に係合凸縁２３が設けられる。また、本実施例における位置決め蓋２０は、円形の蓋であり、該位置決め蓋２０の内面の外周縁に円環状の係合凸縁２３が凸設されることが好ましい。
【００３０】
図７及び図８に示すように、前記固定軸３０は、ねじやリベットなどの部材であり、位置決め蓋２０の貫通孔２１及びシールド１０の摺動溝１２を通過するように取り付けられ、シールド１０及び位置決め蓋２０をヘルメット５０に枢設するための軸心である。
【００３１】
図７及び図８に示すように、本考案に係るヘルメットのシールド構造をヘルメット５０に取り付ける時、シールド１０の枢設部１１がそれぞれヘルメット５０の両側に対応するように、シールド１０をヘルメット５０の前面に取り付ける。そして、位置決め蓋２０の貫通孔２１がそれぞれシールド１０の摺動溝１２に対応すると共に、位置決め蓋２０の係合凸縁２３がシールド１０の枢設部１１の表面にピッタリと接触するように、位置決め蓋２０をシールド１０の枢設部１１に組み合わせる。その後、２つの固定軸３０がそれぞれ位置決め蓋２０の貫通孔２１及びシールド１０の摺動溝１２を通過してヘルメット５０の左右両側に固定される。それによれば、シールド１０をヘルメット５０の両側に枢設することができ、シールド１０が摺動溝１２に沿って所定の範囲内で上下方向に回転することができる。
【００３２】
また、図９に示すように、乗車する者がヘルメット５０をかぶってシールド１０を上方へ回転する時、そのシールド１０は、固定軸３０を軸心として摺動溝１２の上端から下端へ移動するように上方に回転する。この時、位置決め蓋２０の弾力性によって、位置決め蓋２０の係合凸縁２３が枢設部１１の保持凸部１３を乗り越えて、保持凸部１３を収容凹部２２に位置させる。このため、位置決め蓋２０の係合凸縁２３が保持凸部１３を保持しながらシールド１０の枢設部１１にピッタリと接触することができる。また、シールド１０は、ヘルメット５０の上部から突出することはなく、ヘルメット５０のやや上方に保持することができる。つまり、本考案に係るヘルメットのシールド構造に、その位置決め蓋２０を有することから、シールド１０をヘルメット５０の上方に回転しても安定に保持することができて、振動を受けても下方へ落下することはない。
【００３３】
図１０に示すように、本考案に係るヘルメットのシールド構造における第五実施例は、殆ど第四実施例と同一であるが、さらにハット部材４０を備える点において異なる。本実施例のハット部材４０は、ヘルメット５０の前面に取り付けるための固着ベルト４１及び該固着ベルト４１の底縁から前方へ延出するつば部４２を備え、該固着ベルト４１の両端にそれぞれ弧状の装着孔が形成される。本実施例はさらに、つば部４２の外側縁部に位置決め凹部が形成され、シールド１０の内側上縁における該位置決め凹部と対応する箇所に、位置決め凸部１４が設けられることが好ましい。
【００３４】
図１１に示すように、第五実施例における、シールド１０、位置決め蓋２０、固定軸３０、ハット部材４０を組み立てる時に、その固定軸３０がシールド１０の摺動溝１２、位置決め蓋２０の貫通孔２１、固着ベルト４１の装着孔を通過してヘルメット５０に固定される。
【００３５】
図１１乃至図１３に示すように、本考案に係るヘルメットのシールド構造における第五実施例の使用方法は、第四実施例と同一であり、シールド１０をヘルメット５０に対して上下方向に回転することが出来る。なお、そのハット部材４０の固着ベルト４１がヘルメット５０に固定されることから、シールド１０を上下方向に回転しても移動することはない。さらに、そのシールド１０をヘルメット５０に対して下方へ回転する時、シールド１０の位置決め凸部１４がつば部４２の凹部に対応することから（図１０の如く）、シールド１０をハット部材４０に位置決めることができる。
【符号の説明】
【００３６】
１０、１０Ａ、１０Ｂ、１０Ｃ          シールド
１１、１１Ａ、１１Ｂ、１１Ｃ          枢設部
１２、１２Ａ、１２Ｂ、１２Ｃ          摺動溝
１２１、１２１Ａ、１２１Ｂ、１２１Ｃ  枢設孔
１２２、１２２Ａ、１２２Ｂ、１２２Ｃ  位置決め孔
１２３Ｂ                              止め凸部
１３                                  保持凸部
２０                                  位置決め蓋
２１                                  貫通孔
２２                                  収容凹部
２３                                  係合凸縁
３０                                  固定軸
４０                                  ハット部材
４１                                  固着ベルト
４２                                  つば部
５０                                  ヘルメット
【図１】
0003190197.tif 000003
【図２】
0003190197.tif 000004
【図３】
0003190197.tif 000005
【図４】
0003190197.tif 000006
【図５】
0003190197.tif 000007
【図６】
0003190197.tif 000008
【図７】
0003190197.tif 000009
【図８】
0003190197.tif 000010
【図９】
0003190197.tif 000011
【図１０】
0003190197.tif 000012
【図１１】
0003190197.tif 000013
【図１２】
0003190197.tif 000014
【図１３】
0003190197.tif 000015
【手続補正書】
【提出日】平成26年2月6日(2014.2.6)
【手続補正１】
【補正対象書類名】実用新案登録請求の範囲
【補正対象項目名】全文
【補正方法】変更
【補正の内容】
【実用新案登録請求の範囲】
【請求項１】
シールドの両側にそれぞれ枢設部が設けられ、該枢設部がヘルメットの前面両側に枢設されるヘルメットのシールド構造であって、
該枢設部に摺動溝が形成され、該摺動溝の上端に枢設孔が形成され、該摺動溝の下端に位置決め孔が形成されることを特徴とするヘルメットのシールド構造。
【請求項２】
前記摺動溝の幅が枢設孔または位置決め孔の内径より小さいことを特徴とする請求項１に記載のヘルメットのシールド構造。
【請求項３】
前記摺動溝の両側縁部における位置決め孔近傍にそれぞれ対向するように止め凸部が凸設されることを特徴とする請求項１に記載のヘルメットのシールド構造。
【請求項４】
前記摺動溝における、上端に湾曲の弧状を呈する前記枢設孔が形成され、上端から下端へ行く次第に幅が狭くなり、下端に前記位置決め孔が形成されることを特徴とする請求項１に記載のヘルメットのシールド構造。
【請求項５】
前記シールドの枢設部における摺動溝の下部近傍に少なくとも１つの保持凸部が設けられ、
さらに、２つの位置決め蓋及び固定軸を有し、
前記２つの位置決め蓋はそれぞれ、シールドの枢設部に取り付けられ、貫通孔が形成され、内面に収容凹部が形成され、シールドの枢設部の表面に接触するように、該内面における収容凹部の周囲に少なくとも１つの係合凸縁が設けられ、また、シールドの保持凸部を収容凹部に移動させて係合凸縁に位置決めることができ、
前記２つの固定軸はそれぞれ、位置決め蓋の貫通孔及びシールドの摺動溝を通過するように取り付けられることを特徴とする請求項１乃至４の何れか１項に記載のヘルメットのシールド構造。
【請求項６】
前記保持凸部が半円球であり、
前記位置決め蓋が円形を呈し、該位置決め蓋の内面の外周縁に円環状の前記係合凸縁が凸設されることを特徴とする請求項５に記載のヘルメットのシールド構造。
【請求項７】
前記固定軸がそれぞれヘルメットの左右両側に固定されることを特徴とする請求項５または６に記載のヘルメットのシールド構造。
【請求項８】
さらに、ハット部材を有し、該ハット部材は、ヘルメットの前面に取り付ける固着ベルト及び該固着ベルトの底縁から前方へ延出するつば部を備え、
前記固定軸がシールドの摺動溝、位置決め蓋の貫通孔、固着ベルトを通過してヘルメットに固定されることを特徴とする請求項６または７に記載のヘルメットのシールド構造。
【請求項９】
前記つば部の外側縁部に位置決め凹部が形成され、
前記シールドの内側上縁における位置決め凹部と対応する箇所に、位置決め凸部が設けられることを特徴とする請求項８に記載のヘルメットのシールド構造。